(57)【要約】【課題】従来のカードを用いて、一つのカードスロットのみで、情報処理機器に複数の機能を実現させるＰＣカードを提供する。【解決手段】ＰＣカード１は、情報処理機器２０に対する接続コネクタ１１と、別のカード３０を接続するためのカードコネクタ１２とを有し、情報処理機器２０に接続して、複数の機能を情報処理機器に実現させるカード基体１０と、別のカード３０の挿入を誘導する１対の平行なレール部１３と、１対のレール部１３間を挿入経路の障害とならないように接続する橋梁部１４とを備える。【選択図】      図１
2004310529.tif 000002
【特許請求の範囲】
【請求項１】
情報処理機器に対する接続コネクタと、別のカードを接続するためのカードコネクタとを有し、前記情報処理機器に接続して、複数の機能を前記情報処理機器に実現させるカード基体と、
前記別のカードの挿入を誘導する１対の平行なレール部と、
該１対のレール部間を挿入経路の障害とならないように接続する橋梁部と
を備えることを特徴とするＰＣカード。
【請求項２】
前記レール部は、その内部に、前記別のカードのフレームグランドに接続し、前記別のカード及び前記ＰＣカードの前記情報処理機器への接地を行う挿入カード用フレームグランド端子を備えることを特徴とする請求項１に記載のＰＣカード。
【請求項３】
前記カード基体は、無線通信機能を備え、
前記橋梁部は、無線アンテナを備える
ことを特徴とする請求項１又は２に記載のＰＣカード。
【請求項４】
前記橋梁部は、ＬＥＤ表示部を備え、
前記レール部及び前記橋梁部は、その内部に、前記無線アンテナへ接続される高周波配線とＬＥＤ表示用配線を共用した一つのケーブルを備える
ことを特徴とする請求項３に記載のＰＣカード。
【請求項５】
前記橋梁部は、
前記無線アンテナを備える可動式アンテナ部と、
前記レール部間を接続する橋梁基体部と
を備えることを特徴とする請求項３又は４に記載のＰＣカード。
【請求項６】
前記カードコネクタは雄型のコネクタであり、前記カードコネクタを保護するための前記別のカードと同形状のダミーカードを更に備えることを特徴とする１〜５のいずれか１項に記載のＰＣカード。
【請求項７】
前記別のカードは、ＰＨＳカードであることを特徴とする請求項３〜５のいずれか１項に記載のＰＣカード。
【発明の詳細な説明】
【０００１】
【発明の属する技術分野】
本発明は、複数の機能を情報処理機器に実現させることができるＰＣカードに関する。
【０００２】
【従来の技術】
ＰＣカードは、無線ＬＡＮ機能、ＰＨＳ通信機能、携帯電話通信機能、メモリ機能などの機能を持ち、パソコンなどの情報処理機器に接続することにより、情報処理機器にそれらの機能を実現させる。複数の機能を情報処理機器に実現させるためには、パソコンは複数のＰＣカードを接続する必要があり、接続するための複数のスロットを備える必要があった。従来のパーソナルコンピュータは、小型化が進み、特にノート型パーソナルコンピュータでは、機能拡張用であるＰＣカードのスロットが１つしか設けられていない製品も多々ある。
【０００３】
一方、複数のＰＣカードを数珠繋ぎにし、一つのスロットで、複数の機能をパソコンに実現させるＰＣカードは開示されている（例えば特許文献１参照）。
【０００４】
【特許文献１】
特開２０００−７５９７４号公報（段落「００２５」、図１）
【０００５】
【発明が解決しようとする課題】
しかし、複数のＰＣカードをつなぐだけでは、ＰＣカード同士が簡単に外れ、実用的ではない。又、数珠繋ぎにするための独自の構造をカードが持つ必要があり、従来のカードを使用することができない。
【０００６】
上記の問題に鑑み、本発明は、従来のカードを用いて、一つのカードスロットのみで、情報処理機器に複数の機能を実現させるＰＣカードを提供することを目的とする。
【０００７】
【課題を解決するための手段】
上記目的を達成するため、本発明の第１の特徴は、（イ）情報処理機器に対する接続コネクタと、別のカードを接続するためのカードコネクタとを有し、情報処理機器に接続して、複数の機能を情報処理機器に実現させるカード基体と、（ロ）別のカードの挿入を誘導する１対の平行なレール部と、（ハ）１対のレール部間を挿入経路の障害とならないように接続する橋梁部とを備えるＰＣカードであることを要旨とする。ここで「ＰＣカード」とは、情報処理機器に差し込まれ、無線機能やメモリ機能など一定の機能を情報処理機器に対して実現させるカードを指す。情報処理機器としては、パーソナルコンピュータ（ＰＣ）、ノートパソコンの他、携帯電話、ＰＨＳ、ＰＤＡ、電子手帳、デジタルカメラ、カーナビゲーション機器、スキャナ、プリンタ等の機器を含む。
【０００８】
本発明の第１の特徴に係るＰＣカードによると、従来のカードを用いて、一つのカードスロットのみで、情報処理機器に複数の機能を実現させることができる。
【０００９】
又、第１の特徴に係るＰＣカードのレール部は、その内部に、別のカードのフレームグランドに接続し、別のカード及びＰＣカードの情報処理機器への接地を行う挿入カード用フレームグランド端子を備えても良い。このＰＣカードによると、別のカードとＰＣカードのＦＧ端子部が一体化されているので、部品コストを安価にすることができ、組み立ての手間が不要となる。又、高周波を扱う製品の場合、ＦＧを接続することが性能向上のため重要な問題であるので、高周波性能の安定化に寄与する。更に、人体に帯電した静電気がカードに触れた際、静電気が放電されカード内部の電子部品を破損させる可能性があるが、ＦＧを接続することによりＰＣなどの情報処理機器のシャーシと接続されるので静電気による悪影響が少なくなる。
【００１０】
又、第１の特徴に係るＰＣカードのカード基体は、無線通信機能を備え、橋梁部は、無線アンテナを備えても良い。このＰＣカードによると、情報処理機器に対し、無線通信機能及び挿入されたカードの持つ機能を実現させることができる。
【００１１】
又、第１の特徴に係るＰＣカードの橋梁部は、ＬＥＤ表示部を備え、レール部及び橋梁部は、その内部に、無線アンテナへ接続される高周波配線とＬＥＤ表示用配線を共用した一つのケーブルを備えても良い。このＰＣカードによると、レール部内の配線スペースが狭い場合であっても、アンテナ及びＬＥＤ用の配線を橋梁部まで引き回すことができる。又、２つの信号を伝達するケーブルを一つで共用しているので、配線部品代と配線の工数が低く抑えることができる。
【００１２】
又、第１の特徴に係るＰＣカードの橋梁部は、無線アンテナを備える可動式アンテナ部と、レール部間を接続する橋梁基体部とを備えても良い。このＰＣカードによると、アンテナ部分を垂直に立てることができ、電波の受信が良好となる。又、可動式アンテナ部の上にＬＥＤ表示部が設置されるので、ＬＥＤ表示の視認性を向上させることも可能となる。
【００１３】
又、第１の特徴に係るＰＣカードのカードコネクタは雄型のコネクタであり、第１の特徴に係るＰＣカードは、カードコネクタを保護するための別のカードと同形状のダミーカードを更に備えても良い。ここで「ダミーカード」とは、カードコネクタを覆うために使用され、内部に機能を持たないカードを指す。このＰＣカードによると、安価なダミーカードによりカードコネクタを保護することができる。又、ＰＣカードに別のカードが挿入されていない場合でも、カードコネクタから異物が混入することがないので、製品内部の電子回路に悪影響を与える可能性がない。又、別のカードが挿入されていない状態で、情報処理機器に挿入された場合の外観の美感が向上できる。
【００１４】
又、別のカードは、ＰＨＳカードであっても良い。この場合、本発明の第１の特徴に係るＰＣカードが無線ＬＡＮ通信機能を有する場合、情報処理機器に、ＰＨＳ通信と無線ＬＡＮ通信の両方の機能を実現させることができる。
【００１５】
【発明の実施の形態】
次に、図面を参照して、本発明の第１〜第２の実施の形態を説明する。以下の図面の記載において、同一又は類似の部分には同一又は類似の符号を付している。但し、図面は模式的なものであり、厚みと平面寸法との関係、各層の厚みの比率等は現実のものとは異なることに留意すべきである。従って、具体的な厚みや寸法は以下の説明を参酌して判断すべきものである。又、図面相互間においても互いの寸法の関係や比率が異なる部分が含まれていることは勿論である。
【００１６】
（第１の実施の形態）
（ＰＣカードの外部構造）
第１の実施の形態に係るＰＣカードは、図１に示すように、情報処理機器２０のカードスロット２１に差し込むカード基体１０と、１対の平行なレール部１３と、１対のレール部１３間を接続する橋梁部１４を備える。
【００１７】
カード基体１０は、情報処理機器２０に接続する接続コネクタ１１と、別のカードを接続するためのカードコネクタ１２とを有する。カード基体１０内部には、無線ＬＡＮ機能、ＰＨＳ通信機能、携帯電話通信機能、メモリ機能などのいずれかの機能が備えられており、別のカードに備えられた機能と共に、情報処理機器２０に複数の機能を実現させる。
【００１８】
レール部１３は、別のカードの挿入を誘導する。図２は、別のカード３０をＰＣカード１に挿入した状態を示す。別のカード３０は、レール部１３にそってＰＣカード１に挿入され、カードコネクタ１２に接続される。
【００１９】
橋梁部１４は、別のカード３０をレール部１３に挿入する際に、その挿入経路の障害とならないように、配置される。橋梁部１４を備えることにより、レール部１３の強度確保が図られると共に、挿入されたカード３０の保持強化も図られる。
【００２０】
この挿入される別のカード３０としては、ＣＦＡ（Ｃｏｍｐａｃｔ  Ｆｌａｓｈ  Ａｓｓｏｃｉａｔｉｏｎ）の規格に準拠したＣＦＴｙｐｅＩあるいはＣＦＴｙｐｅＩＩのカードであることが望ましい。具体的には、コンパクトフラッシュ（登録商標）ＴＭカード（ＣＦカード）やＰＨＳカードが挙げられる。ＣＦＴｙｐｅＩは、長さ３６．４×幅４２．８×厚さ３．３ｍｍの規格を有し、ＣＦＴｙｐｅＩＩは、長さ３６．４×幅４２．８×厚さ５．０ｍｍの規格を有する。第１の実施の形態に係るＰＣカード１は、このようなカード３０に対応したカードコネクタ１２を有し、レール部１３や橋梁部１４はこの規格のカードを保持する寸法としても良い。例えば、図６（ａ）は、図４のＢ−Ｂ断面図であるが、別のカード３０を挿入する部分の幅Ｌ９は、４２．８〜５０．０ｍｍ程度であることが望ましく、４４．０〜４５．０ｍｍ程度であれば、ＣＦＴｙｐｅ準拠のカードの外形寸法に合わせた大きさとなり、これらのカードを保持するために優れたものとなる。又、図６（ａ）に示す別のカード３０を挿入する部分の厚さＬ１０は、３．３〜５．０ｍｍ程度であると、ＣＦＴｙｐｅ準拠のカードの外形寸法に合わせた大きさとなり、これらのカードを保持するために優れたものとなる。
【００２１】
第１の実施の形態に係るＰＣカード１は、上記のような外形寸法であると、挿入する別のカード３０としては、市販品のカードを用いることができるという利点がある。
【００２２】
又、第１の実施の形態に係るＰＣカード１の外形寸法は、ＰＣカード規格ＴｙｐｅＩ、ＴｙｐｅＩＩ、ＴｙｐｅＩＩＩに準拠するものであることが望ましい。このため、図４に示す短辺の長さＬ２は５４．０ｍｍ、図５（ａ）に示すＰＣカード１の厚さＬ７は、３．３ｍｍ、５．０ｍｍ、あるいは１０．５ｍｍであることが望ましい。図４に示す長辺の長さＬ１は、ＰＣなどの情報処理機器に挿入するため、８５．６ｍｍ以上であることが望ましく、別のカード３０を保持するレール部１３及び橋梁部１４を備えること、持ち運びの利便性等を考慮し、１００．０〜１０５．０ｍｍ程度の長さであると最適である。
【００２３】
又、長辺Ｌ１のうち、図４に示す別のカード３０が挿入される部分の長さＬ４は、カード３０の保持のため、２０．０〜５０．０ｍｍ程度が望ましく、別のカード３０がＣＦＴｙｐｅに準拠していることを考慮すると、３０．０〜４０．０ｍｍ程度であることが最適である。又、長辺Ｌ１のうち、カード基体１０の長さＬ３は、情報処理機器２０に挿入されることを考慮すると、６０．０〜７０．０ｍｍ程度であることが望ましい。更に、別のカード３０がＣＦＴｙｐｅに準拠していることを考慮すると、レール部１３の幅Ｌ５は、５．０〜６．０ｍｍ程度であることが望ましい。
【００２４】
又、図５（ａ）に示す橋梁部４を含めたＰＣカードの厚さＬ６は、６．０〜１０．０ｍｍ程度であることが望ましく、設計や持ち運びの利便性を考慮すると、７．００〜９．０ｍｍ程度であることが望ましい。又、橋梁部４の幅Ｌ８は、フレーム部１３の強度確保、別のカード３０の保持機能確保のため、５．０ｍｍ〜１０．０ｍｍ程度であることが望ましく、その内部にアンテナ機能等を有する場合を考慮すると、６．０〜８．０ｍｍ程度であることが望ましい。
【００２５】
第１の実施の形態に係るＰＣカード１によると、従来のカードを挿入することができるので、一つのカードスロット２１のみで、情報処理機器２０にＰＣカード１及び挿入されたカード３０の両方の機能を実現させることができる。又、橋梁部１４を設けることにより、別のカード３０を挿入するため長く延設されたフレーム部１３の強度が確保され、別のカード３０の保持機能の強化も図ることができる。
【００２６】
（ＰＣカードの機能）
カード基体１０及び挿入される別のカード３０は、無線ＬＡＮ機能、ＰＨＳ通信機能、携帯電話通信機能、メモリ機能などのいずれかの機能のうち、それぞれ異なる機能を備える。例えば、カード基体１０に無線ＬＡＮ機能を内蔵し、別のカード３０としてＰＨＳカードを用いると、情報処理機器２０に対して、無線ＬＡＮとＰＨＳの両方の機能を実現させることができる。このとき、情報処理機器２０は、無線ＬＡＮが使用できるときは無線ＬＡＮによって通信を行い、無線ＬＡＮが使用できない状況であればＰＨＳ通信機能によって通信を行うことができる。
【００２７】
このように、第１の実施の形態に係るＰＣカード１によると、従来のカード３０を用いて、一つのカードスロット２１のみで、情報処理機器２０に複数の機能を実現させることができる。
【００２８】
（接地機能）
第１の実施の形態に係るＰＣカード１のフレーム部１３は、その内部に、挿入カード用フレームグランド端子１６ａを備えることにより、別のカード３０及びＰＣカード１の双方の接地を同時に行う機能を有する。
【００２９】
カード基体及びレール部１３の上部を覆うカードアダプタ１６は、図３に示すように、レール部１３の形状に合わせて延設された端部に挿入カード用ＦＧ端子部１６ａを備え、レール部１３の外側を覆うように延設された部分にＰＣカード用ＦＧ端子部１６ｂを備える。端子挿入口１４ｃから挿入カード用ＦＧ端子部１６ａを差し込み、カードアダプタ１６をカード基体の上部に設置すると、レール部１３の内側に挿入カード用ＦＧ端子部１６ａが、レール部１３の外側にＰＣカード用ＦＧ端子部１６ｂが配置される。カードアダプタ１６を設置した後は、端子挿入口１４ｃ及びレール部１３の上部に、嵌合部１７を被せる。この状態の挿入カード用ＦＧ端子部１６ａは、図５（ｂ）に示すような位置に配置される。又、図６（ｂ）に示すように、挿入カード用ＦＧ端子部１６ａはレール部１３から突出しているので、レール部１３に別のカード３０が挿入されると、そのＦＧ部分は、挿入カード用ＦＧ端子部１６ａに接続される。
【００３０】
第１の実施の形態に係るＰＣカード１に、別のカード３０が挿入されると、挿入されたカード３０のＦＧ部分が挿入カード用ＦＧ端子部１６ａに接続される。又、第１の実施の形態に係るＰＣカード１が情報処理機器２０に差し込まれると、ＰＣカード用端子部１６ｂが情報処理機器２０に接続されることによって、ＰＣカード１が接地される。挿入カード用ＦＧ端子部１６ａとＰＣカード用ＦＧ端子部１６ｂは一体の板金形状であるので、挿入された別のカード３０とＰＣカード１の両方の接地を行うことができる。尚、ＣＦＴｙｐｅＩあるいはＣＦＴｙｐｅＩＩなどに準拠したカードのＦＧ部分、ＰＣカードＴｙｐｅＩ、ＴｙｐｅＩＩ、ＴｙｐｅＩＩＩなどに準拠したＰＣカードのＦＧ部分の位置形状は規格で定められているので、その位置に合わせて挿入カード用ＦＧ端子部１６ａ及びＰＣカード用ＦＧ端子部１６ｂは設計される。
【００３１】
第１の実施の形態に係るＰＣカード１のフレーム部１３は、上述した挿入カード用ＦＧ端子部１６ａ及びＰＣカード用ＦＧ端子部１６ｂをカードアダプタの板金の一体型として備えるので、その部品のコストを安価にすることができ、組み立ての手間が不要となる。又、挿入される別のカード３０及びＰＣカード１の接地を同時に行うので、特に、通信機能など高周波を扱うカードである場合、ＦＧを接続することにより高周波性能の安定化が図れる。更に、人体に帯電した静電気がカードに触れた際、静電気が放電されカード内部の電子製品を破損させる可能性があるが、ＦＧを接続することによりＰＣのシャーシと接続されるので、静電気による悪影響が少なくなる。
【００３２】
（レール部及び橋梁部内のケーブル共用）
第１の実施の形態に係るＰＣカード１に通信機能を備える場合、橋梁部１４はアンテナ機能だけでなく、図１に示すように、ＬＥＤ表示部１５を備えると良い。ＬＥＤ表示部１５は、通信中であるときは青色を点灯するなど通信状態を表示するものであり、これによりユーザが通信状態を視認することができる。
【００３３】
橋梁部１４がＬＥＤ表示部１５を備える場合、アンテナへ接続するための高周波信号及びＬＥＤ表示用信号をカード基体１０から引き回すために、レール部１３及び橋梁部１４の内部には、アンテナへ接続される高周波ケーブルとＬＥＤ表示用の配線ケーブルが必要となる。しかし、レール部１３は、その幅が限られており、高周波ケーブルを配置した場合、ＬＥＤ表示用の配線ケーブルが配置できない状態となる。図４に示すレール部１３の幅Ｌ５は、５．０〜６．０ｍｍ程度であり、図５（ａ）に示すその厚さＬ７は、３．０〜５．０ｍｍ程度である。これはレール部１３の外形寸法であり、実際に使用できる内部空間はより限られたものとなる。
【００３４】
そこで、アンテナ用の高周波ケーブルとＬＥＤ表示用の配線ケーブルを共用することにより、橋梁部１４にアンテナ機能とＬＥＤ表示機能を実現させる。高周波ケーブルには高周波信号が通り、表示用配線ケーブルには基本的に直流信号が通る。これらの高周波と直流信号を一つの信号線に重畳することにより、一つの共用ケーブルで２つの信号を伝送することが可能となる。図５（ａ）は、図４のＡ−Ａ断面図であり、その拡大図である図５（ｂ）に示すように、橋梁部１４内部に、高周波信号と表示用信号が通る共用ケーブル１８を備える。又、図６（ａ）は、図４のＢ−Ｂ断面図であり、図６（ｂ）はその拡大図であるが、フレーム部１３及び橋梁部１４に共用ケーブル１８を備えていることを示す。共用ケーブル１８の直径は１．０〜３．０ｍｍ程度であり、その設計の容易さや製造コストなどを考慮すると１．５〜２．０ｍｍ程度であることが望ましい。
【００３５】
第１の実施の形態に係るＰＣカード１は、上述したような共用ケーブル１８を備えることにより、配線空間の限られたレール部１３に高周波信号とＬＥＤ表示用信号を通すことができる。これにより、橋梁部１４は、アンテナ機能だけでなく、ＬＥＤ表示機能を有することができる。又、従来であれば２本必要であったケーブルを１本で代用できることにより、配線部品代と配線の工数を削減することができる。
【００３６】
（ダミーカードによる保護）
第１の実施の形態に係るＰＣカード１は、図１に示すように、カードコネクタ１２は雄型のコネクタであり、ＰＣカード１からむき出しの状態となっている。このように、カードコネクタ１２を外側に配置したことにより、カード基体１０内部に、より大きい容量の機能を搭載することができる。しかし、この状態のままであると、カードコネクタ１２部分が破損したり、カードコネクタ１２部分から異物が混入し、ＰＣカード１内部の電子回路に悪影響を与えたりすることがある。
【００３７】
そこで、カードコネクタ１２を保護するため、ダミーのカードを挿入しておくと良い。図２に示すような別のカード３０を挿入する代わりに、ダミーカードを挿入することにより、カードコネクタ１２の上下前後方向にカバーを設け、端子の保護を図る。ダミーカードは、カードコネクタ１２を保護し、レール部１３に挿入できる形状であれば、どんな形状であっても構わない。その素材は、ガラスエポキシ樹脂、ポリプロピレン（ＰＰ）やポリテトラフロロエチレン（ＰＴＦＥ）等のフッ素樹脂、金属等の安価なものであることが望ましい。
【００３８】
第１の実施の形態に係るＰＣカード１は、このダミーカードを備えることにより、カードコネクタ１２の保護が図られ、ＰＣカード１などの製品内部の電子回路に悪影響を与える可能性がない。又、別のカード３０が挿入されていない状態で、情報処理機器２０にＰＣカード１を挿入した場合などにおいて、ダミーカードを挿入しておけば、ＰＣカードの外観の美感が向上できる。
【００３９】
（第２の実施の形態）
第２の実施の形態では、第１の実施の形態に係る橋梁部１４に設けられたアンテナが可動式である場合について説明する。
【００４０】
第２の実施の形態に係るＰＣカード２は、図７に示すように、情報処理機器のカードスロットに差し込むカード基体１０と、１対の平行なレール部１３と、１対のレール部１３間を接続する橋梁部１４を備える。第２の実施の形態では、カード基体１０には、無線ＬＡＮ機能、ＰＨＳ通信機能、携帯電話通信機能などの通信機能が備えられており、そのアンテナ機能は橋梁部１４に備えられている。橋梁部１４は、無線アンテナを備える可動式アンテナ部１４ａと、レール部１３間を接続する橋梁基体部１４ｂとを備える。可動式アンテナ部１４ａの一端は橋梁基体部１４ｂに接続され、可動式アンテナ部１４ａの他端は橋梁基体部１４ｂから外れ、垂直あるいはそれ以上の角度に動くことができる。又、可動式アンテナ部１４ａには、第１の実施の形態と同様に、ＬＥＤ表示部１５を備える。
【００４１】
橋梁部１４の厚さは、可動式アンテナ部１４ａと橋梁基体部１４ｂを備えるため、第１の実施の形態における橋梁部の厚さ（図５（ａ）におけるＬ６）より大きいものとなる。例えば、第２の実施の形態における橋梁部１４の厚さは、８．０〜１２．０ｍｍ程度であることが望ましく、設計や持ち運びの利便性を考慮すると、９．００〜１１．０ｍｍ程度であることが望ましい。その他の外形寸法は、第１の実施の形態に係るＰＣカード１と同様であるので、ここでは説明を省略する。別のカード３０の外形寸法においても、第１の実施の形態と同様であるので、ここでは説明を省略する。
【００４２】
又、第２の実施の形態に係るＰＣカード２も、第１の実施で説明したように、レール部１３内に挿入カード用ＦＧ端子部１６ａを備え、レール部１３及び可動式アンテナ部１４ａに共用ケーブル１８を備えることができ、ダミーカードを備えていても構わない。その他、カード基体１０、レール部１３、橋梁部１４などの機能については、第１の実施の形態と同様である。
【００４３】
第２の実施の形態に係るＰＣカード２によると、可動式アンテナ部１４ａが垂直に立つことにより、電波の受信が良好となる。又、可動式アンテナ部１４ａの上にＬＥＤ表示部１５が設置されるので、ＬＥＤ表示部１５も可動式となり、ＬＥＤ表示の視認性を向上させることができる。
【００４４】
（その他の実施の形態）
本発明は上記の実施の形態によって記載したが、この開示の一部をなす論述及び図面はこの発明を限定するものであると理解すべきではない。この開示から当業者には様々な代替実施の形態、実施例及び運用技術が明らかとなろう。
【００４５】
例えば、本発明の実施の形態において、別のカード３０として、ＣＦＴｙｐｅに準拠したカードを例にとり説明を行ったが、その他の規格のカードで直接本発明の実施の形態に係るＰＣカード１、２に接続できない場合であっても、ＰＣカード１、２に接続できるようなコネクタを介して、カードコネクタ１２に接続できれば、使用可能である。
【００４６】
このように、本発明はここでは記載していない様々な実施の形態等を含むことは勿論である。従って、本発明の技術的範囲は上記の説明から妥当な特許請求の範囲に係る発明特定事項によってのみ定められるものである。
【００４７】
【発明の効果】
本発明によると、従来のカードを用いて、一つのカードスロットのみで、情報処理機器に複数の機能を実現させるＰＣカードを提供することができる。
【図面の簡単な説明】
【図１】第１の実施の形態に係るＰＣカードの斜視図である。
【図２】第１の実施の形態に係るＰＣカードに別のカードを挿入した図である。
【図３】第１の実施の形態に係るＰＣカードを解体した図である。
【図４】第１の実施の形態に係るＰＣカードを上から見た図である。
【図５】（ａ）は、図４のＡ−Ａ断面図であり、（ｂ）は、（ａ）のＡ部分の拡大図である。
【図６】（ａ）は、図４のＢ−Ｂ断面図であり、（ｂ）は、（ａ）のＢ部分の拡大図である。
【図７】第２の実施の形態に係るＰＣカードの斜視図である。
【符号の説明】
１、２  ＰＣカード
１０  カード基体
１１  接続コネクタ
１２  カードコネクタ
１３  レール部
１４  橋梁部
１４ａ  可動式アンテナ部
１４ｂ  橋梁基体部
１４ｃ  端子挿入口
１５  ＬＥＤ表示部
１６  カードアダプタ
１６ａ  挿入カード用ＦＧ端子部
１６ｂ  ＰＣカード用ＦＧ端子部
１７  嵌合部
１８  共用ケーブル
２０  情報処理機器
２１  カードスロット
３０  カード
【図１】
2004310529.tif 000003
【図２】
2004310529.tif 000004
【図３】
2004310529.tif 000005
【図４】
2004310529.tif 000006
【図５】
2004310529.tif 000007
【図６】
2004310529.tif 000008
【図７】
2004310529.tif 000009